(57)【特許請求の範囲】
【請求項１】
端末が片手モードに切り替えられたか否かを検出するステップと、
端末が片手モードに切り替った場合、前記端末における、片手操作範囲内に属する物理ボタンである、近接物理ボタンに対する第１所定操作を受信したか否かを検出するステップと、
前記近接物理ボタンに対する第１所定操作を受信した場合、前記端末における、前記片手操作範囲を超えた物理ボタンである、離隔物理ボタンに対応する操作機能を実行するステップとを含む方法であって、
前記近接物理ボタンに対する第１所定操作を受信した場合、前記離隔物理ボタンに対応する操作機能を実行するステップは、いずれかの近接物理ボタンに対する第１所定操作を受信した場合、前記離隔物理ボタンに対応する操作機能を実行するステップを含み、
前記方法は更に、それぞれの近接物理ボタンに対する最初のトリガー操作を受信した場合、対応する最初の操作機能を実行するステップを含むことを特徴とする片手モードにおけるボタン操作処理方法。
【請求項２】
更に、
前記片手モードに対応する、操作手の方向を検出するステップと、
前記操作手の方向が左手である場合、前記離隔物理ボタンは前記端末の右側に位置する物理ボタンであることを確認し、前記操作する手の方向が右手である場合、前記離隔物理ボタンは前記端末の左側に位置する物理ボタンであることを確認するステップとを含むことを特徴とする請求項１に記載の片手モードにおけるボタン操作処理方法。
【請求項３】
前記近接物理ボタンに対する第１所定操作を受信した場合、前記離隔物理ボタンに対応する操作機能を実行するステップは、いずれかの近接物理ボタンに対する第１所定操作を受信した場合、前記離隔物理ボタンに対応する操作機能を実行するステップを含み、及び、
前記方法は更に、他の近接物理ボタンに対する第２所定操作を受信した場合、前記いずれかの近接物理ボタンに対応する操作機能を実行するステップを含むことを特徴とする請求項２に記載の片手モードにおけるボタン操作処理方法。
【請求項４】
更に、前記離隔物理ボタンに対するトリガー操作を検出した場合、前記片手モードから退出するステップを含むことを特徴とする請求項１に記載の片手モードにおけるボタン操作処理方法。
【請求項５】
端末が片手モードに切り替えられたか否かを検出するためのモード検出ユニットと、
端末が片手モードに切り替った場合、前記端末における、片手操作範囲内に属する物理ボタンである、近接物理ボタンに対する第１所定操作を受信したか否かを検出するための操作検出ユニットと、
前記近接物理ボタンに対する第１所定操作を受信した場合、前記端末における、前記片手操作範囲を超えた物理ボタンである、離隔物理ボタンに対応する操作機能を実行するための実行ユニットとを備える装置であって、
前記実行ユニットは、いずれかの近接物理ボタンに対する第１所定操作を受信した場合、前記離隔物理ボタンに対応する操作機能を実行するための第１実行サブユニットを有し、
前記装置は更に、それぞれの近接物理ボタンに対する最初のトリガー操作を受信した場合、対応する最初の操作機能を実行するための第１操作ユニットを備えることを特徴とする片手モードにおけるボタン操作処理装置。
【請求項６】
更に、
前記片手モードに対応する、操作手の方向を検出するための方向検出ユニットと、
前記方向検出ユニットによって前記操作手の方向が左手であることが検出された場合、前記離隔物理ボタンは前記端末の右側に位置する物理ボタンであることを確認し、前記方向検出ユニットによって前記操作手の方向が右手であることが検出された場合、前記離隔物理ボタンは前記端末の左側に位置する物理ボタンであることを確認するボタン確認ユニットとを備えることを特徴とする請求項５に記載の片手モードにおけるボタン操作処理装置。
【請求項７】
前記実行ユニットは、いずれかの近接物理ボタンに対する第１所定操作を受信した場合、前記離隔物理ボタンに対応する操作機能を実行するための第２実行サブユニットを有し、及び、
前記装置は更に、前記他の近接物理ボタンに対する第２所定操作を受信した場合、前記いずれかの近接物理ボタンに対応する操作機能を実行するための第２操作ユニットを備えることを特徴とする請求項６に記載の片手モードにおけるボタン操作処理装置。
【請求項８】
更に、前記離隔物理ボタンに対するトリガー操作を検出した場合、前記片手モードから退出するための退出ユニットを備えることを特徴とする請求項５に記載の片手モードにおけるボタン操作処理装置。
【請求項９】
プロセッサと、
プロセッサが実行可能なコマンドを記憶するためのメモリとを備え、
前記プロセッサは、
端末が片手モードに切り替えられたか否かを検出し、
端末が片手モードに切り替った場合、前記端末における、片手操作範囲内に属する物理ボタンである、近接物理ボタンに対する第１所定操作を受信したか否かを検出し、
前記近接物理ボタンに対する第１所定操作を受信した場合、前記端末における、前記片手操作範囲を超えた物理ボタンである、離隔物理ボタンに対応する操作機能を実行するように構成され、
前記近接物理ボタンに対する第１所定操作を受信した場合、前記離隔物理ボタンに対応する操作機能を実行することは、いずれかの近接物理ボタンに対する第１所定操作を受信した場合、前記離隔物理ボタンに対応する操作機能を実行することを含み、
前記プロセッサは更に、それぞれの近接物理ボタンに対する最初のトリガー操作を受信した場合、対応する最初の操作機能を実行するように構成されていることを特徴とする電子デバイス。
【請求項１０】
プロセッサに実行されることにより、請求項１から請求項４のいずれかに記載の片手モードにおけるボタン操作処理方法を実現する記録媒体に記録されたプログラム。
【請求項１１】
請求項１０に記載のプログラムが記録された記録媒体。
【発明の詳細な説明】
【相互参照】
【０００１】
本願は出願番号が２０１５１０２９００２５．４であって、出願日が２０１５年５月２９日である中国特許出願に基づき、優先権を主張し、当該中国特許出願の全ての内容を本願に援用する。
【技術分野】
【０００２】
本発明は端末の操作技術分野に関し、特に片手モードにおけるボタン操作処理方法、装置、電子デバイス、プログラム及び記録媒体に関する。
【背景技術】
【０００３】
視覚に対するユーザニーズの向上に伴って、端末のスクリーンサイズは益々大きくなっており、ユーザは端末を片手で握り持って操作できなくなり、操作するために往々にして両手を使わなければならず、ユーザの使用が不便になってしまった。ユーザの使用体験を優れたものにするために、関連技術には「片手モード」を提供しており、例えば表示インタフェースに対しズーム処理（Ｚｏｏｍ）することで、表示インタフェースがユーザの片手操作範囲内に入り、大型スクリーン端末を片手で握り持ち且つ操作することを実現した。
【発明の概要】
【０００４】
本発明は関連技術における問題点を解決するために、片手モードにおけるボタン操作処理方法、装置、電子デバイス、プログラム及び記録媒体を提供する。
【０００５】
本発明の実施例の第１の態様によれば、
端末が片手モードに切り替えられたか否かを検出するステップと、
端末が片手モードに切り替った場合、前記端末における、片手操作範囲内に属する物理ボタンである、近接物理ボタンに対する第１所定操作を受信したか否かを検出するステップと、
前記近接物理ボタンに対する第１所定操作を受信した場合、前記端末における、前記片手操作範囲を超えた物理ボタンである、離隔物理ボタンに対応する操作機能を実行するステップとを含む片手モードにおけるボタン操作処理方法を提供する。
【０００６】
好ましくは、
更に、
前記片手モードに対応する、操作手の方向を検出するステップと、
前記操作手の方向が左手である場合、前記離隔物理ボタンは前記端末の右側に位置する物理ボタンであることを確認し、前記操作する手の方向が右手である場合、前記離隔物理ボタンは前記端末の左側に位置する物理ボタンであることを確認するステップとを含む。
【０００７】
好ましくは、前記近接物理ボタンに対する第１所定操作を受信した場合、前記離隔物理ボタンに対応する操作機能を実行するステップは、いずれかの近接物理ボタンに対する第１所定操作を受信した場合、前記離隔物理ボタンに対応する操作機能を実行するステップを含み、及び、
前記方法は更に、それぞれの近接物理ボタンに対する最初のトリガー操作を受信した場合、対応する最初の操作機能を実行するステップを含む。
【０００８】
好ましくは、前記近接物理ボタンに対する第１所定操作を受信した場合、前記離隔物理ボタンに対応する操作機能を実行するステップは、いずれかの近接物理ボタンに対する第１所定操作を受信した場合、前記離隔物理ボタンに対応する操作機能を実行するステップを含み、及び、
前記方法は更に、他の近接物理ボタンに対する第２所定操作を受信した場合、前記いずれかの近接物理ボタンに対応する操作機能を実行するステップを含む。
【０００９】
好ましくは、
更に、前記離隔物理ボタンに対するトリガー操作を検出した場合、前記片手モードから退出するステップを含む。
【００１０】
本発明の実施例の第２の態様によれば、
端末が片手モードに切り替えられたか否かを検出するためのモード検出ユニットと、
端末が片手モードに切り替った場合、前記端末における、片手操作範囲内に属する物理ボタンである、近接物理ボタンに対する第１所定操作を受信したか否かを検出するための操作検出ユニットと、
前記近接物理ボタンに対する第１所定操作を受信した場合、前記端末における、前記片手操作範囲を超えた物理ボタンである、離隔物理ボタンに対応する操作機能を実行するための実行ユニットとを備える片手モードにおけるボタン操作処理装置を提供する。
【００１１】
好ましくは、
更に、
前記片手モードに対応する、操作手の方向を検出するための方向検出ユニットと、
前記方向検出ユニットによって前記操作手の方向が左手であることが検出された場合、前記離隔物理ボタンは前記端末の右側に位置する物理ボタンであることを確認し、前記方向検出ユニットによって前記操作手の方向が右手であることが検出された場合、前記離隔物理ボタンは前記端末の左側に位置する物理ボタンであることを確認するボタン確認ユニットとを備える。
【００１２】
好ましくは、前記実行ユニットは、いずれかの近接物理ボタンに対する第１所定操作を受信した場合、前記離隔物理ボタンに対応する操作機能を実行するための第１実行サブユニットを有し、及び、
前記装置は更に、それぞれの近接物理ボタンに対する最初のトリガー操作を受信した場合、対応する最初の操作機能を実行するための第１操作ユニットを備える。
【００１３】
好ましくは、前記実行ユニットは、いずれかの近接物理ボタンに対する第１所定操作を受信した場合、前記離隔物理ボタンに対応する操作機能を実行するための第２実行サブユニットを有し、及び、
前記装置は更に、前記他の近接物理ボタンに対する第２所定操作を受信した場合、前記いずれかの近接物理ボタンに対応する操作機能を実行するための第２操作ユニットを備える。
【００１４】
好ましくは、
更に、前記離隔物理ボタンに対するトリガー操作を検出した場合、前記片手モードから退出するための退出ユニットを備える。
【００１５】
本発明の実施例の第３の態様によれば、
プロセッサと、
プロセッサが実行可能なコマンドを記憶するためのメモリとを備え、
前記プロセッサは、
端末が片手モードに切り替えられたか否かを検出し、
端末が片手モードに切り替った場合、前記端末における、片手操作範囲内に属する物理ボタンである、近接物理ボタンに対する第１所定操作を受信したか否かを検出し、
前記近接物理ボタンに対する第１所定操作を受信した場合、前記端末における、前記片手操作範囲を超えた物理ボタンである、離隔物理ボタンに対応する操作機能を実行する電子デバイスを提供する。
本発明の実施例の第４の態様によれば、プロセッサに実行されることにより、前記片手モードにおけるボタン操作処理方法を実現する記録媒体に記録されたプログラムを提供する。
本発明の実施例の第５の態様によれば、前記プログラムが記録された記録媒体を提供する。
【００１６】
本発明の実施例が提供する技術案は下記のような有益な効果を含むことができる。
【００１７】
上述の実施例から分かるように、本発明は端末における物理ボタンを近接物理ボタンと離隔物理ボタンに分けることで、近接物理ボタンで離隔物理ボタンの機能を模擬することを通じて、ユーザが近接物理ボタンに対してのみ操作することで全ての物理ボタンの機能を実現できる。従って、物理ボタンも同様に片手モードに適用でき、片手モードのユーザビリティの向上に役立つ。
【００１８】
また、上記の一般的な説明及び以下の詳細な説明は単なる例示及び解釈に過ぎず、本発明を限定するものではないことを理解すべきである。
【図面の簡単な説明】
【００１９】
本願の図面は明細書に取り込まれて明細書の一部を構成し、本発明に合致する実施例を示し、また、明細書と共に本発明の原理の解釈に用いられる。
【００２０】
【図１】一つの例示的な実施例にかかる片手モードの端末インタフェースの模式図である。
【図２】一つの例示的な実施例にかかる片手モードにおけるボタン操作処理方法のフローチャートである。
【図３】一つの例示的な実施例にかかる片手モードのボタン操作の模式図である。
【図４Ａ】一つの例示的な実施例にかかる片手モードのボタン操作の模式図である。
【図４Ｂ】一つの例示的な実施例にかかる片手モードのボタン操作の模式図である。
【図５Ａ】一つの例示的な実施例にかかる片手モードのボタン操作の模式図である。
【図５Ｂ】一つの例示的な実施例にかかる片手モードのボタン操作の模式図である。
【図６−１０】一つの例示的な実施例にかかる片手モードにおけるボタン操作処理装置のブロック図である。
【図１１】一つの例示的な実施例にかかる片手モードにおけるボタン操作処理のための装置の構造模式図である。
【発明を実施するための形態】
【００２１】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００２２】
図１は一つの例示的な実施例にかかる片手モードの端末インタフェースの模式図である。図１に示すように、ユーザが片手モードを起動した場合、端末の最初のインタフェースは所定比率に従って対応するズーミングインタフェース（Ｚｏｏｍｉｎｇ  Ｉｎｔｅｒｆａｃｅ）を有し、且つ該ズーミングインタフェースをユーザが握り持っている位置に表示する。例えば図１において、ユーザは右手で端末を握り持っており、且つ端末は直立状態であるため、ユーザが握り持っている位置は端末の右下である。従って、ズーミングインタフェースを該ユーザが握り持っている位置に表示することで、ユーザの片手操作区域内に位置するようにし、ユーザが端末を握り持つと同時に、右手親指等により操作を実行するようにする。
【００２３】
同時に、ズーミングインタフェースをカバーする他に、片手操作区域は端末における一部の物理ボタンもカバーしており、例えば図１における、それぞれ端末の下方中央、右側に位置する「ホームボタン」、「リターンボタン」である。しかしながら、端末の下方左側に位置する「メニューボタン」は片手操作区域外にあるため、ユーザは該物理ボタンを片手で操作できず、「片手モード」はスクリーン表示内容について調整しかなく、端末における物理ボタンに対しては有効な適用性処理を行っておらず、「片手モード」のユーザビリティを低下させた。
【００２４】
従って、本発明は片手モードにおけるボタン操作処理方法を提出して、物理ボタンの操作を調整することで、「片手モード」のユーザビリティを向上させる。
【００２５】
図２は一つの例示的な実施例にかかる片手モードにおけるボタン操作処理方法のフローチャートである。図２に示すように、該方法は端末に使われ、以下のようなステップを含むことができる。
【００２６】
ステップ２０２において、端末が片手モードに切り替えられたか否かを検出する。
【００２７】
本実施例において、端末はスクリーンの仮想ボタン又は端末の物理ボタンに対するユーザのトリガーを検出するか、又はユーザの握り持つ姿勢及び操作方式を自動で検出することで、片手モードへの切替を実現することができる。ここで、片手モードにおいて、ユーザは端末を片手で握り持って操作することができる。例えば、握り持つ手の親指は対応する片手操作区域内において、スクリーン表示インタフェースの表示に対する端末の調整（例えば表示インタフェースに対するズーム処理など）に基づいて、スクリーンインタフェース全体を有効に操作できる。
【００２８】
当然ながら、当業者はその他方法で片手モードに切り換えることもでき、且つ片手モードにおいても、複数種類の異なるスクリーン表示インタフェースの調整方法が存在する可能性があり、これらの方法はいずれも本発明の技術案に適用することができ、本発明はこれを限定しない。
【００２９】
ステップ２０４において、端末が片手モードに切り替った場合、前記端末における、片手操作範囲内に属する物理ボタンである、近接物理ボタン(ｐｒｏｘｉｍａｌ  ｐｈｙｓｉｃａｌ  ｂｕｔｔｏｎ)に対する第１所定操作を受信したか否かを検出する。
【００３０】
本実施例において、端末は前記片手モードに対応する、操作手の方向を確定することができ、前記端末上で、水平方向に沿って配列された複数の物理ボタンの中から、前記操作手の方向から離れた物理ボタンを離隔物理ボタン(ｄｉｓｔａｌ  ｐｈｙｓｉｃａｌ  ｂｕｔｔｏｎ)として選択し、他の物理ボタンは前記近接物理ボタンとする。操作手の方向を確定することを通じて（例えば自動検出又はユーザが設置）、物理ボタンの操作方法を正確に配置して、混同を避けることができる。
【００３１】
一つの例示的な実施方法として、例えば端末上に水平方向に沿って配列された三つの物理ボタンが含まれる場合、操作手の方向が左手である場合、左側と中央の物理ボタンは前記近接物理ボタンであり、右側の物理ボタンは前記離隔物理ボタンであり、操作手の方向が右手である場合、右側と中央の物理ボタンが前記近接物理ボタンであり、左側の物理ボタンが前記離隔物理ボタンである。
【００３２】
ステップ２０６において、前記近接物理ボタンに対する第１所定操作を受信した場合、前記端末における、前記片手操作範囲を超えた物理ボタンである、離隔物理ボタンに対応する操作機能を実行する。
【００３３】
本実施例において、さらに一つの近接物理ボタンで離隔物理ボタンを模擬し、他の近接物理ボタンで該近接物理ボタンを模擬することができ、同一の物理ボタンが同時に離隔物理ボタンと近接物理ボタンの操作機能に関連されることを避け、ユーザの使用体験の向上に役立つ。
【００３４】
上述の実施例から分かるように、本発明は端末における物理ボタンを近接物理ボタンと離隔物理ボタンに分けることで、近接物理ボタンで離隔物理ボタンの機能を模擬することを通じて、ユーザが近接物理ボタンに対してのみ操作することで全ての物理ボタンの機能を実現できる。従って、物理ボタンも同様に片手モードに適用でき、片手モードのユーザビリティの向上に役立つ。
【００３５】
下記において図面を併せて、更に上述のステップ２０４及びステップ２０６における処理プロセスを詳しく説明する。
【００３６】
１、物理ボタンの分類
一方、端末上において片手モードに適用させる必要がある物理ボタンの状況、例えば物理ボタンの位置、数、配列方法等を把握する必要がある。例えば図３に示すように、仮に物理ボタンは端末の下方に一列に配列された三つの物理ボタンであるとし、ユーザが垂直（図３に示される姿勢）に該端末を握り持った場合、自分の片手操作区域が物理ボタン全てをカバーできない状況が生じ得る。
【００３７】
一方、端末に対するユーザの操作手の方向を把握する必要がある。例えば、操作手の方向が左手である場合、離隔物理ボタンは端末の右側に位置する物理ボタン、即ち、端末において左右に配列された複数の物理ボタンの中の最も右側の物理ボタンであることを確認し、制御操作する手の方向が右手である場合、離隔物理ボタンは端末の左側に位置する物理ボタン、即ち、端末上に左右に配列された複数の物理ボタンの中の最も左側の物理ボタンあることを確認する。例えば、ユーザが図３に示されるように右手で握り持つ場合、対応する片手操作区域は中央と右側の物理ボタンしかカバーできず、左側の物理ボタンをカバーできない可能性がある。このため、中間と最も右側の物理ボタンを近接物理ボタンとして設定し、最も左側の物理ボタンを離隔物理ボタンとして設定することができる。
【００３８】
２、ボタン機能の模擬
図３に示される実施例を基に、中央又は右側の物理ボタンで、左側の物理ボタンを模擬することができる。中央の物理ボタンで左側の物理ボタンを模擬することを例として、図４Ａに示すように、ユーザが中央のホームボタンに対し例えば長押し（押し時間Ｔ≧所定時間ｔ０）操作のような第１所定操作を実行した場合、端末はメニューボタンに対応する操作機能を実行して、図４Ｂに示すように、表示インタフェースにおいて「操作メニュー」を呼び出す。
【００３９】
一つの例示的な実施方法として、いずれか一つの近接物理ボタンに対する第１所定操作を受信した場合、前記離隔物理ボタンに対応する操作機能を実行し、及び、それぞれの近接物理ボタンに対する最初のトリガー操作を受信した場合、対応する最初の操作機能を実行する。
【００４０】
言い換えれば、近接物理ボタンが離隔物理ボタンに対して模擬することができる場合、近接物理ボタンは自身の最初の操作機能も実現することができる。例えば図４Ａに示すように、一方において、ユーザは長押し等の第１所定操作を通じて、ホームボタンでメニューボタンの操作機能を実現することができ、他方において、ユーザがホームボタンに対して例えばクリック操作のような最初のトリガー操作を実行した場合、依然としてホームボタンの最初の操作機能を実現することができる。例えば、所定のホームページに切り替る等である。
【００４１】
該実施例において、離隔物理ボタンに対して模擬すると同時に近接物理ボタンの操作機能を変更する必要はなく、ユーザは離隔物理ボタンに対する模擬方法のみ把握する必要があり、ユーザの学習コストを下げるために役立つ。
【００４２】
他の例示的な実施方法として、いずれか一つの近接物理ボタンに対する第１所定操作を受信した場合、前記離隔物理ボタンに対応する操作機能を実行し、及び、他の近接物理ボタンに対する最初のトリガー操作を受信した場合、対応する最初の操作機能を実行し、他の近接物理ボタンに対する第２所定操作を受信した場合、前記いずれか一つの近接物理ボタンに対応する操作機能を実行する。一つの実施例において、該「他の近接物理ボタン」と該「いずれか一つの近接物理ボタン」は例えば同一の物理ボタンであってもよい。
【００４３】
言い換えれば、例えば端末上に複数の近接物理ボタンが存在する場合、ある一つの物理ボタンは離隔物理ボタンの模擬のみに使われることができ、その他近接物理ボタンでこの近接物理ボタンの操作機能を模擬する。例えば図４Ａに示すように、ホームボタンとリターンボタンはいずれも近接物理ボタンであり、メニューボタンは離隔物理ボタンである場合、端末の操作手の方向から相対的に離れた近接物理ボタンを選択して離隔物理ボタンを模擬し、即ちホームボタンでメニューボタンを模擬して、リターンボタンでホームボタンの操作機能と自身の最初の操作機能を模擬する。
【００４４】
該実施例において、離隔物理ボタンに対する単独模擬、及び近接物理ボタンに対する操作の調整を通じて、近接物理ボタンの間で依然として「離隔」と「近接」の相対的な概念と操作方法を維持させ、異なる操作方法に対するユーザの混同を避けることができ、ユーザの操作体験の向上に役立つ。
【００４５】
当然ながら、上述の操作方法は本発明の技術案について説明するための例示に過ぎず、異なる状況における操作のニーズを満足するため、それぞれの近接物理ボタンの機能を設定することで、それぞれの近接物理ボタンでその他いずれかの離隔又は近接物理ボタンの操作機能を模擬することができ、これらは全て本発明の技術案に含まれる。
【００４６】
説明しなければいけないのは、
１）ボタンの数。上述の図３、図４Ａ−４Ｂに示される実施例のいずれにおいても、端末の下方に位置する一列に配列された三つの物理ボタンを例として説明を行っているが、本発明は端末において「離隔」と「近接」の相対的な関係を構成する物理ボタンの数を限定していない。例えば、図５Ａ−５Ｂに示すように、端末には四つの物理ボタンが含まれるように、端末は他の数の物理ボタンを含むことができる。
【００４７】
２）操作手の方向。上述の図３、図４Ａ−４Ｂに示される実施例のいずれにおいても、操作する手の方向が右手であることを例として説明を行っているが、本発明は端末を操作する手の方向を限定していない。例えば、図５Ａに示すように、ユーザは左手で端末に対する片手操作を行うことができ、且つ端末に含まれる四つの物理ボタンに基づいて、左側の三つの物理ボタンを近接物理ボタンに、最も右側の一つの物理ボタンを離隔物理ボタンにすることができる。
【００４８】
３）離隔物理ボタンの数。上述の図３、図４Ａ−４Ｂ、図５Ａに示される実施例のいずれにおいても、近接物理ボタンが複数あり、離隔物理ボタンが一つあることを例として説明を行っているが、本発明は端末の近接物理ボタン又は離隔物理ボタンの数について限定していない。例えば、図５Ｂに示される実施例において、端末は四つの物理ボタンを含んでおり、ここでユーザが左手で端末を握り持つ場合、左側の二つは近接物理ボタンで、右側の二つは離隔物理ボタンである。説明の便宜上、最も左側のボタンを左１ボタン、次ぎの左側のボタンを左２ボタン、最も右側のボタンを右１ボタン、次ぎの右側のボタンを右２ボタンとして仮定する。
【００４９】
一つの例示的な実施例として、端末は左１ボタンに対するユーザの第１所定操作を検出した場合、右２ボタンに対応する操作機能を実行し、左２ボタンに対するユーザの第１所定操作を検出した場合、右１ボタンに対応する操作機能を実行することができる。類似的に、他の例示的な実施例として、端末は左１ボタンに対するユーザの第１所定操作を検出した場合、右１ボタンに対応する操作機能を実行し、左２ボタンに対するユーザの第１所定操作を検出した場合、右２ボタンに対応する操作機能を実行することができる。ここで、左１ボタン、右１ボタンと、右１ボタン、右２ボタンの各種対応関係は、予め設定することができ、又は、ユーザが自分の習慣／嗜好に基づいて自由に設定することもでき、本発明はこれを限定しない。
【００５０】
また、上述の実施例において、端末が前記離隔物理ボタンに対するトリガー操作を検出した場合、ユーザが全ての物理ボタンをカバーできることを説明しており、これにより片手モードを退出することができる。
【００５１】
本発明はさらに、上述の片手モードにおけるボタン操作処理方法の実施例に対応する、片手モードにおけるボタン操作処理装置の実施例を提供する。
【００５２】
図６は一つの例示的な実施例にかかる片手モードにおけるボタン操作処理装置のブロック図である。図６に示すように、該装置はモード検出ユニット６１、操作検出ユニット６２及び実行ユニット６３を備える。
【００５３】
ここで、モード検出ユニット６１は、端末が片手モードに切り替えられたか否かを検出する。
【００５４】
操作検出ユニット６２は、端末が片手モードに切り替った場合、前記端末における、片手操作範囲内に属する物理ボタンである、近接物理ボタンに対する第１所定操作を受信したか否かを検出する。
【００５５】
実行ユニット６３は、前記近接物理ボタンに対する第１所定操作を受信した場合、前記端末における、前記片手操作範囲を超えた物理ボタンである、離隔物理ボタンに対応する操作機能を実行する。
【００５６】
図７に示すように、図７は一つの例示的な実施例にかかる他の片手モードにおけるボタン操作処理装置のブロック図である。該実施例は上述の図６に示される実施例を基にしており、該装置は更に方向検出ユニット６４及びボタン確認ユニット６５を備えることができる。
【００５７】
ここで、方向検出ユニット６４は、前記片手モードに対応する、操作手の方向を検出する。
【００５８】
ボタン確認ユニット６５は、前記操作手の方向が左手である場合、前記離隔物理ボタンは前記端末の右側に位置する物理ボタンであることを確認し、前記操作手の方向が右手である場合、前記離隔物理ボタンは前記端末の左側に位置する物理ボタンであることを確認する。
【００５９】
図８に示すように、図８は一つの例示的な実施例にかかる他の片手モードにおけるボタン操作処理装置のブロック図である。該実施例は上述の図６に示される実施例を基にしており、実行ユニット６３は、いずれかの近接物理ボタンに対する第１所定操作を受信した場合、前記離隔物理ボタンに対応する操作機能を実行するための第１実行サブユニット６３１を有し、及び、
前記装置は更に、それぞれの近接物理ボタンに対する最初のトリガー操作を受信した場合、対応する最初の操作機能を実行するための第１操作ユニット６６を備える。
【００６０】
図９に示すように、図９は一つの例示的な実施例にかかる他の片手モードにおけるボタン操作処理装置のブロック図である。該実施例は上述の図６に示される実施例を基にしており、実行ユニット６３は、いずれかの近接物理ボタンに対する第１所定操作を受信した場合、前記離隔物理ボタンに対応する操作機能を実行するための第２実行サブユニット６３２を有し、及び、
前記装置は更に、前記他の近接物理ボタンに対する第２所定操作を受信した場合、前記いずれかの近接物理ボタンに対応する操作機能を実行するための第２操作ユニット６７を備える。
【００６１】
図１０に示すように、図１０は一つの例示的な実施例にかかる他の片手モードにおけるボタン操作処理装置のブロック図であり、該実施例は上述の図６に示される実施例を基にしており、該装置は更に退出ユニット６８を備えることができる。
【００６２】
ここで、退出ユニット６８は、前記離隔物理ボタンに対するトリガー操作を検出した場合、前記片手モードから退出する。
【００６３】
説明しなければいけないのは、上述の図１０に示される装置実施例における退出ユニット６６の構造は上述の図７−９の装置実施例に含まれることも可能で、本発明はこれを限定しない。
【００６４】
上述の実施例における装置に関しては、それぞれのモジュールが操作を実行する具体的な方法は既に関連する実施例において詳細な説明を行っており、ここでは繰り返し説明しない。
【００６５】
装置実施例において、基本的に方法の実施例に対応するため、関連する部分は方法の実施例の一部説明を参照すればよい。以上に説明した装置実施例は例示的なものに過ぎず、分離部品として説明されるユニットは物理的に分離できるものであってもなくてもよい。ユニットとして表示される部品は物理的なユニットであってもなくてもよい。即ち、一箇所に位置することが可能で、または複数のネットワークユニットに分布されていてもよい。実際のニーズに基づいて、その中の一部または全部のモジュールを選択して本発明の技術案の目的を実現することができる。当業者は創造的な労働を経ずに、理解し実施することができる。
【００６６】
上記に対応して、本発明は更に片手モードにおけるボタン操作処理装置を提供し、プロセッサ、及びプロセッサが実行可能なコマンドを記憶するためのメモリとを備え、前記プロセッサは、端末が片手モードに切り替えられたか否かを検出し、端末が片手モードに切り替った場合、前記端末における、片手操作範囲内に属する物理ボタンである、近接物理ボタンに対する第１所定操作を受信したか否かを検出し、前記近接物理ボタンに対する第１所定操作を受信した場合、前記端末における、前記片手操作範囲を超えた物理ボタンである、離隔物理ボタンに対応する操作機能を実行するように構成される。
【００６７】
上記に対応して、本発明は更に端末を提供し、前記端末は、メモリ、及び一つ又は一つ以上のプロセッサに実行されるメモリに記憶されている一つ又は一つ以上のプログラムを含む。前記プログラムは、端末が片手モードに切り替えられたか否かを検出し、端末が片手モードに切り替った場合、前記端末における、片手操作範囲内に属する物理ボタンである、近接物理ボタンに対する第１所定操作を受信したか否かを検出し、前記近接物理ボタンに対する第１所定操作を受信した場合、前記端末における、前記片手操作範囲を超えた物理ボタンである、離隔物理ボタンに対応する操作機能を実行するためのコマンドを含む。
【００６８】
図１１は一つの例示的な実施例にかかる片手モードにおけるボタン操作処理装置１１００のブロック図である。例えば、装置１１００は、携帯電話、コンピューター、デジタル放送端末、メッセージ送受信デバイス、ゲームコンソール、タブレットデバイス、医療デバイス、フィットネス設備、パーソナルデジタルアシスタント等であってもよい。
【００６９】
図１１を参照して、装置１１００は、プロセス部材１１０２、メモリ１１０４、電源部材１１０６、マルチメディア部材１１０８、オーディオ部材１１１０、入出力（Ｉ／Ｏ）インターフェイス１１１２、センサ部材１１１４、及び通信部材１１１６のような一つ以上の部材を含んでよい。
【００７０】
プロセス部材１１０２は、一般的には装置１１００の全体の操作を制御するものであり、例えば、表示、電話呼び出し、データ通信、カメラ操作、及び記録操作と関連される操作を制御する。プロセス部材１１０２は、一つ以上のプロセッサ１１２０を含み、これらによって命令を実行することにより、上記の方法の全部、或いは一部のステップを実現するようにしてもよい。なお、プロセス部材１１０２は、一つ以上のモジュールを含み、これらによってプロセス部材１１０２と他の部材の間のインタラクションを容易にするようにしてもよい。例えば、プロセス部材１１０２は、マルチメディアモジュールを含み、これらによってマルチメディア部材１１０８とプロセス部材１１０２の間のインタラクションを容易にするようにしてもよい。
【００７１】
メモリ１１０４は、各種類のデータを記憶することにより装置１１００の操作を支援するように構成される。これらのデータの例は、装置１１００において操作されるいずれのアプリケーションプログラム又は方法の命令、連絡対象データ、電話帳データ、メッセージ、画像、ビデオ等を含む。メモリ１１０４は、いずれの種類の揮発性、不揮発性記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＰＲＯＭ（Ｐｒｏｇｒａｍｍａｂｌｅ  ＲＯＭ）、ＲＯＭ、磁気メモリ、フラッシュメモリ、磁気ディスク、或いは光ディスクである。
【００７２】
電源部材１１０６は、装置１１００の多様な部材に電力を供給する。電源部材１１０６は、電源管理システム、一つ以上の電源、及び装置１１００のための電力の生成、管理及び割り当てに関連される他の部材を含んでもよい。
【００７３】
マルチメディア部材１１０８は、前記装置１１００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或いはスライドの動作の境界だけでなく、前記のタッチ、或いはスライド操作に係る継続時間及び圧力も検出できる。上記の実施例において、マルチメディア部材１１０８は、一つのフロントカメラ、及び／又はリアカメラを含む。装置１１００が、例えば撮影モード、或いはビデオモード等の操作モードにある場合、フロントカメラ、及び／又はリアカメラは外部からマルチメディアデータを受信できる。フロントカメラとリアカメラのそれぞれは、一つの固定型の光レンズ系、或いは可変焦点距離と光学ズーム機能を有するものであってもよい。
【００７４】
オーディオ部材１１１０は、オーディオ信号を入出力するように構成されてもよい。例えば、オーディオ部材１１１０は、一つのマイク（ＭＩＣ）を含み、装置１１００が、例えば呼出しモード、記録モード、及び音声認識モード等の操作モードにある場合、マイクは外部のオーディオ信号を受信することができる。受信されたオーディオ信号は、さらにメモリ１１０４に記憶されたり、通信部材１１１６を介して送信されたりされる。上記の実施例において、オーディオ部材１１１０は、オーディオ信号を出力するための一つのスピーカーをさらに含む。
【００７５】
Ｉ／Ｏインターフェイス１１１２は、プロセス部材１１０２と周辺インターフェイスモジュールの間にインターフェイスを提供するものであり、上記周辺インターフェイスモジュールは、キーボード、クリックホイール、ボタン等であってもよい。これらのボタンは、ホームページボタン、ボリュームボタン、起動ボタン、ロッキングボタンを含んでもよいが、これらに限定されない。
【００７６】
センサ部材１１１４は、装置１１００に各方面の状態に対する評価を提供するための一つ以上のセンサを含む。例えば、センサ部材１１１４は、装置１１００のＯＮ／ＯＦＦ状態、装置１１００のディスプレイと小さなキーパッドのような部材の相対的な位置決めを検出できる。また、例えば、センサ部材１１１４は、装置１１００、或いは装置１１００の一つの部材の位置変更、ユーザと装置１１００とが接触しているか否か、装置１１００の方位、又は加速／減速、装置１１００の温度の変化を検出できる。センサ部材１１１４は、何れの物理的接触がない状態にて付近の物体の存在を検出するための近接センサを含んでもよい。センサ部材１１１４は、撮影アプリケーションに適用するため、ＣＭＯＳ、又はＣＣＤイメージセンサのような光センサを含んでもよい。上記の実施例において、当該センサ部材１１１４は、加速度センサ、ジャイロスコープセンサ、磁気センサ、圧力センサ、及び温度センサをさらに含んでもよい。
【００７７】
通信部材１１１６は、装置１１００と他の機器の間に有線、又は無線形態の通信を提供する。装置１１００は、例えばＷｉＦｉ（登録商標）、２Ｇ、３Ｇ、或いはこれらの組み合わせのような、通信規格に基づいた無線ネットワークに接続されてもよい。一つの例示的な実施例において、通信部材１１１６は、放送チャンネルを介して外部の放送管理システムからの放送信号、又は放送に関連される情報を受信する。一つの例示的な実施例において、前記通信部材１１１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  Ｉｄｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  ＷｉｄｅＢａｎｄ）技術、ＢＴ（Ｂｌｕｅｔｏｏｔｈ（登録商標））技術、他の技術に基づいて実現できる。
【００７８】
例示的な実施例において、装置１１００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【００７９】
例示的な実施例において、さらに、命令を含むコンピュータ読取り可能な非一時的な記録媒体、例えば命令を含むメモリ１１０４を提供しており、装置１１００のプロセッサ１１２０により上記命令を実行して上記方法を実現する。例えば、前記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【００８０】
当業者は明細書を検討し、ここで開示した発明を実践した後、本発明のその他の実施方案を容易に思いつくことができる。本願は本発明の全ての変更、用途又は適応性の変化を含む。これらの変更、用途又は適応性の変化は本発明の一般的な原理に基づいており、本発明に未開示の本技術分野における周知技術又は慣用技術手段を含む。明細書及び実施例は例示的なものに過ぎず、本発明の真の範囲及び主旨は以下の特許請求の範囲によって示される。
【００８１】
本発明は、上記で説明した、また図面において示した寸分違わぬ構成に限定されず、その範囲を逸脱しない前提のもとで種々の変更及び修正を行うことができることを理解すべきである。本発明の範囲は付された特許請求の範囲によってのみ限定される。
【図１】
0006259169.tif 000002
【図２】
0006259169.tif 000003
【図３】
0006259169.tif 000004
【図４Ａ】
0006259169.tif 000005
【図４Ｂ】
0006259169.tif 000006
【図５Ａ】
0006259169.tif 000007
【図５Ｂ】
0006259169.tif 000008
【図６】
0006259169.tif 000009
【図７】
0006259169.tif 000010
【図８】
0006259169.tif 000011
【図９】
0006259169.tif 000012
【図１０】
0006259169.tif 000013
【図１１】
0006259169.tif 000014